(57)【要約】      （修正有）【課題】ダイナミックレンジを異にする複数種類の伝送ビデオデータが混在して送信される場合に受信側における画乱れの発生を防止する装置および方法を提供する。【解決手段】サービス送信システム１００において、複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを送信する。各コンポーネントストリームに、それぞれのコンポーネントストリームが持つコンポーネントデータのダイナミックレンジ情報を挿入する。【選択図】図２
2020074572.tif 000002
【特許請求の範囲】
【請求項１】
ダイナミックレンジを異にする複数の伝送ビデオデータを切り替えて得られた伝送ビデオデータをコンポーネントデータとして持つビデオストリームと、他のコンポーネントデータの符号化データを含む所定フォーマットのコンテナを送信する送信部と、
上記コンテナのレイヤに、該コンテナに含まれる上記ビデオストリームが持つ伝送ビデオデータのダイナミックレンジ情報を、切り替えタイミングより所定の時間量だけ前のタイミングから切り替え後の伝送ビデオデータのダイナミックレンジを示すように挿入する情報挿入部を備える
送信装置。
【請求項２】
送信部により、ダイナミックレンジを異にする複数の伝送ビデオデータを切り替えて得られた伝送ビデオデータをコンポーネントデータとして持つビデオストリームと、他のコンポーネントデータの符号化データを含む所定フォーマットのコンテナを送信する送信ステップと、
上記コンテナのレイヤに、該コンテナに含まれる上記ビデオストリームが持つ伝送ビデオデータのダイナミックレンジ情報を、切り替えタイミングより所定の時間量だけ前のタイミングから切り替え後の伝送ビデオデータのダイナミックレンジを示すように挿入する情報挿入ステップを有する
送信方法。
【請求項３】
ダイナミックレンジを異にする複数の伝送ビデオデータを切り替えて得られた伝送ビデオデータをコンポーネントデータとして持つビデオストリームと、他のコンポーネントデータの符号化データを含む所定フォーマットのコンテナを受信する受信部と、
上記コンテナのレイヤに、該コンテナに含まれる上記ビデオストリームが持つ伝送ビデオデータのダイナミックレンジ情報が、切り替えタイミングより所定の時間量だけ前のタイミングから切り替え後の伝送ビデオデータのダイナミックレンジを示すように挿入されており、
上記ビデオストリームおよび上記符号化データをデコードして複数のコンポーネントデータを得、該得られた複数のコンポーネントデータを合成して出力データを得る処理部を備える
受信装置。
【請求項４】
受信部により、ダイナミックレンジを異にする複数の伝送ビデオデータを切り替えて得られた伝送ビデオデータをコンポーネントデータとして持つビデオストリームと、他のコンポーネントデータの符号化データを含む所定フォーマットのコンテナを受信する受信ステップと、
上記コンテナのレイヤに、該コンテナに含まれる上記ビデオストリームが持つ伝送ビデオデータのダイナミックレンジ情報が、切り替えタイミングより所定の時間量だけ前のタイミングから切り替え後の伝送ビデオデータのダイナミックレンジを示すように挿入されており、
上記ビデオストリームおよび上記符号化データをデコードして複数のコンポーネントデータを得、該得られた複数のコンポーネントデータを合成して出力データを得る処理ステップを有する
受信方法。
【発明の詳細な説明】
【技術分野】
【０００１】
本技術は、送信装置、送信方法、受信装置および受信方法に関し、詳しくは、ビデオストリームと共にグラフィックスデータや字幕データなどを持つ他のストリームを送信する送信装置等に関する。
【背景技術】
【０００２】
通常ダイナミックレンジの伝送ビデオデータとハイダイナミックレンジの伝送ビデオデータとが混在して送信される場合がある。以下、適宜、通常ダイナミックレンジを「ＳＤＲ」と表記すると共に、ハイダイナミックレンジを「ＨＤＲ」と表記する。この場合、通常ダイナミックレンジの伝送ビデオデータは通常ダイナミックレンジビデオデータに通常ダイナミックレンジ光電変換を適用して得られたものであり、ハイダイナミックレンジの伝送ビデオデータはハイダイナミックレンジビデオデータにハイダイナミックレンジ光電変換を適用して得られたものである。例えば、非特許文献１には、従来受信機による受信を考慮した、従来の光電変換特性（ガンマ特性）との互換領域を含むＨＤＲ光電変換特性（新ガンマ特性）についての記載がある。
【０００３】
通常ダイナミックレンジの伝送ビデオデータとハイダイナミックレンジの伝送ビデオデータの切り替えは、例えば、番組切り替えやＣＭ挿入のタイミングで発生する可能性がある。このような切り替えがある場合、受信側では電光変換特性を切り替えることが必要となるが、その切り替えに伴う画乱れが発生するか、あるいは画乱れを隠すために表示ミュートが行われる。
【０００４】
画乱れが顕著に知覚できる例として、放送サービスの一つとして存在する、いわゆる“ｄボタン”操作によるグラフィックス表示があげられる。この場合、番組やＣＭを跨いでグラフィックスの重畳がなされるが、小窓に表示されるビデオデータによる画像がＳＤＲからＨＤＲあるいはＨＤＲからＳＤＲに切り替わる際に、グラフィックス表示における色や明るさが変化することが起こる。
【先行技術文献】
【非特許文献】
【０００５】
【非特許文献１】Tim Borer, “Non-Linear Opto-Electrical Transfer Functions for High Dynamic Range Television”, Research & Development White Paper WHP 283, July 2014
【発明の概要】
【発明が解決しようとする課題】
【０００６】
本技術の目的は、ダイナミックレンジを異にする複数種類の伝送ビデオデータが混在して送信される場合にあって受信側における画乱れの発生を良好に防止可能とすることにある。
【課題を解決するための手段】
【０００７】
本技術の概念は、
複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを送信する送信部と、
上記各コンポーネントストリームに、それぞれのコンポーネントストリームが持つコンポーネントデータのダイナミックレンジ情報を挿入する情報挿入部を備える
送信装置にある。
【０００８】
本技術において、送信部により、複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナが送信される。例えば、所定数の第２のコンポーネントストリームには、データ放送ストリームおよび/またはサブタイトルストリームが含まれる、ようにされてもよい。情報挿入部により、各コンポーネントストリームに、それぞれのコンポーネントストリームが持つコンポーネントデータのダイナミックレンジ情報が挿入される。
【０００９】
このように本技術においては、各コンポーネントストリームに、それぞれのコンポーネントストリームが持つコンポーネントデータのダイナミックレンジ情報を挿入するものである。そのため、受信側において各コンポーネントデータをそれぞれのダイナミックレンジ情報に基づいて表示性能に合うように輝度マッピング処理を施した後に合成して出力データを得ることが可能となる。
【００１０】
この場合、この出力データに施す電光変換の特性を固定できることから、電光変換特性の切り替えに起因する画乱れの発生を防止することが可能となる。例えば、ビデオデータによる画像と共にグラフィックス表示がされるときに、ビデオデータによる画像がＳＤＲからＨＤＲあるいはＨＤＲからＳＤＲに切り換わったとしても、グラフィックス表示における色や明るさが変化することはなくなる。また、この場合、各コンポーネントデータに表示性能に合うように輝度マッピング処理が施されることから、各コンポーネントデータによる表示を常に適切な輝度状態で表示することが可能となる。
【００１１】
なお、本技術において、例えば、情報挿入部は、各コンポーネントストリームに、それぞれのコンポーネントストリームが持つコンポーネントデータの色域情報をさらに挿入する、ようにされてもよい。この場合、受信側において各コンポーネントデータをそれぞれの色域情報に基づいて表示性能に合うように色域変換を施した後に合成して出力データを得ることが可能となり、各コンポーネントデータによる表示を常に適切な色状態で表示することが可能となる。
【００１２】
また、本技術において、例えば、コンテナのレイヤに、このコンテナに含まれる第１のコンポーネントストリームが持つ伝送ビデオデータの種類を示す識別情報を、切り替えタイミングより所定の時間量以上だけ前のタイミングから切り替え後の伝送ビデオデータの種類を示すように挿入する情報挿入部をさらに備える、ようにされてもよい。この場合、受信側において、切り替えタイミングより所定の時間量以上だけ前のタイミングから、伝送ビデオデータの種類の切り替えがあること、さらには切り替え後の伝送ビデオデータの種類の認識が可能となる。
【００１３】
また、本技術の他の概念は、
複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを受信する受信部を備え、
上記各コンポーネントストリームに、それぞれのコンポーネントストリームが持つコンポーネントデータのダイナミックレンジ情報が挿入されており、
上記各コンポーネントストリームをデコードして複数のコンポーネントデータを得、該得られた複数のコンポーネントデータを合成して出力データを得る処理部をさらに備え、
上記処理部は、
上記各コンポーネントデータを、それぞれのダイナミックレンジ情報に基づいて表示性能に合うように輝度マッピング処理を施した後に合成して上記出力データを得る
受信装置にある。
【００１４】
本技術において、受信部により、複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナが受信される。各コンポーネントストリームに、それぞれのコンポーネントストリームが持つコンポーネントデータのダイナミックレンジ情報が挿入されている。
【００１５】
処理部により、各コンポーネントストリームがデコードされて複数のコンポーネントデータが得られ、この複数のコンポーネントデータが合成されて出力データが得られる。処理部では、各コンポーネントデータが、それぞれのダイナミックレンジ情報に基づいて表示性能に合うように輝度マッピング処理が施された後に合成されて、出力データが得られる。
【００１６】
このように本技術においては、各コンポーネントデータを、それぞれのダイナミックレンジ情報に基づいて表示性能に合うように輝度マッピング処理を施した後に合成して出力データを得るものである。そのため、この出力データに施す電光変換の特性を固定でき、電光変換特性の切り替えに起因する画乱れの発生を防止することが可能となる。また、各コンポーネントデータによる表示を常に適切な輝度状態で表示することが可能となる。
【００１７】
また、本技術において、例えば、各コンポーネントストリームに、それぞれのコンポーネントストリームが持つコンポーネントデータの色域情報がさらに挿入されており、処理部は、各コンポーネントデータを、それぞれの色域情報に基づいて表示性能に合うように色域変換処理を施した後に合成して出力データを得る、ようにされてもよい。この場合、各コンポーネントデータによる表示を常に適切な色状態で表示することが可能となる。
【発明の効果】
【００１８】
本技術によれば、ダイナミックレンジを異にする複数種類の伝送ビデオデータが混在して送信される場合にあって受信側における画乱れの発生を良好に防止できる。なお、本明細書に記載された効果はあくまで例示であって限定されるものではなく、また付加的な効果があってもよい。
【図面の簡単な説明】
【００１９】
【図１】実施の形態としての送受信システムの構成例を示すブロック図である。
【図２】サービス送信システムの構成例を示すブロック図である。
【図３】光電変換特性を説明するための図である。
【図４】伝送ビデオデータの切り換えタイミングと、換え後の伝送ビデオデータを識別するための識別情報の挿入タイミングとの関係を説明するための図である。
【図５】ＨＤＲ・ビデオ・デスクリプタの構造例を示す図である。
【図６】ＨＤＲ・ビデオ・デスクリプタの構造例における主要な情報の内容を示す図である。
【図７】ＨＤＲ・サブタイトル・デスクリプタの構造例を示す図である。
【図８】ＭＰＥＧ−２  ＴＳのトランスポートストリームの構造例を示す図である。
【図９】ＭＭＴのトランスポートストリームの構造例を示す図である。
【図１０】サービス受信機の構成例を示すブロック図である。
【図１１】表示性能がＨＤＲである場合における輝度マッピング処理の概要を示す図である。
【図１２】表示性能がＨＤＲかつ広色域である場合における画面合成処理部の構成例を示すブロック図である。
【図１３】輝度マッピング部の構成を説明するための図である。
【図１４】表示性能がＨＤＲであり、入力伝送ビデオデータがＳＤＲ伝送ビデオデータである場合における輝度マッピング部について説明するための図である。
【図１５】表示性能がＨＤＲであり、入力伝送ビデオデータがＨＤＲ伝送ビデオデータである場合における輝度マッピング部について説明するための図である。
【図１６】表示性能がＳＤＲであり、入力伝送ビデオデータがＨＤＲ伝送ビデオデータである場合における輝度マッピング部について説明するための図である。
【図１７】放送サービスの一つとして存在する“ｄボタン”操作によるグラフィックス表示の例を示す図である。
【発明を実施するための形態】
【００２０】
以下、発明を実施するための形態（以下、「実施の形態」とする）について説明する。なお、説明を以下の順序で行う。
１．実施の形態
２．変形例
【００２１】
＜１．実施の形態＞
［送受信システムの構成例］
図１は、実施の形態としての送受信システム１０の構成例を示している。この送受信システム１０は、サービス送信システム１００とサービス受信機２００により構成されている。サービス送信システム１００は、コンテナとしてのＭＰＥＧ−２  ＴＳ（MPEG-2 Transport Stream）あるいはＭＭＴ（MPEG Media Transport）のトランスポートストリーム（多重化ストリーム）を生成し、このトランスポートストリームを放送波あるいはネットのパケットに載せて送信する。
【００２２】
このトランスポートストリームには、複数の種類の伝送ビデオデータを切り替えて得られた伝送ビデオデータをコンポーネントデータとして持つ第１のコンポーネントストリーム（ビデオストリーム）と共に、他のコンポーネントデータを持つ所定数の第２のコンポーネントストリームが含まれる。所定数の第２のコンポーネントストリームに、例えば、データサービスストリーム（データ放送ストリーム）および/またはサブタイトルストリームが含まれ、この実施の形態ではデータ放送ストリームおよびサブタイトルストリームが含まれる。データサービスストリームは、コンポーネントデータとして、例えば、グラフィックスデータ、イメージデータなどを持つ。サブタイトルストリームは、コンポーネントデータとして、字幕データを持つ。
【００２３】
各コンポーネントストリームに、それぞれのコンポーネントストリームが持つコンポーネントデータのダイナミックレンジ情報が挿入される。また、各コンポーネントストリームに、それぞれのコンポーネントストリームが持つコンポーネントデータの色域情報が挿入される。また、トランスポートストリームに、それに含まれる第１のコンポーネントストリームが持つ伝送ビデオデータの種類を示す識別情報が、切り替えタイミングより所定の時間量以上だけ前のタイミングから切り替え後の伝送ビデオデータの種類を示すように挿入される。
【００２４】
サービス受信機２００は、サービス送信システム１００から送信されてくる、上述のトランスポートストリーム（ＭＰＥＧ−２  ＴＳあるいはＭＭＴのトランスポートストリーム）を受信する。サービス受信機２００は、各コンポーネントストリームをデコードして複数のコンポーネントデータを得、この得られた複数のコンポーネントデータを合成して出力データを得る。
【００２５】
この場合、各コンポーネントデータが、それぞれのダイナミックレンジ情報に基づいて表示性能に合うように輝度マッピング処理が施された後に合成されて、出力データが得られる。さらに、この実施の形態では、各コンポーネントデータが、それぞれの色域情報に基づいて表示性能に合うように色域変換処理が施された後に合成されて、出力データが得られる。
【００２６】
サービス受信機２００は、この出力データに電光変換（電光変換特性は固定）を施して表示用画像データを得、この表示用画像データによる画像表示をする。
【００２７】
「サービス送信システムの構成例」
図２は、サービス送信システム１００の構成例を示している。このサービス送信システム１００は、制御部１０１と、ビデオエンコーダ１０２と、データサービスエンコーダ１０３と、静止画エンコーダ１０４と、サブタイトルエンコーダ１０５と、コンテナエンコーダ１０６と、送信部１０７を有している。
【００２８】
制御部１０１は、ＣＰＵ（Central Processing Unit）を備えて構成され、制御プログラムに基づいて、サービス送信システム１００の各部の動作を制御する。ビデオエンコーダ１０２は、入力される伝送ビデオデータに対して、例えば、ＭＰＥＧ４−ＡＶＣあるいはＨＥＶＣなどの符号化を施して符号化ビデオデータを得、この符号化ビデオデータを含む、コンポーネントストリームとしてのビデオストリームＶＳを生成する。このビデオストリームＶＳには、コンポーネントデータとしての伝送ビデオデータが含まれている。
【００２９】
入力される伝送ビデオデータは、複数の種類の伝送ビデオデータを切り替えて得られたものである。複数の種類の伝送ビデオデータには、例えば、通常ダイナミックレンジの伝送ビデオデータとハイダイナミックレンジの伝送ビデオデータが含まれる。ここで、通常ダイナミックレンジの伝送ビデオデータは、通常ダイナミックレンジビデオデータに通常ダイナミックレンジ光電変換を適用して得られたものである。また、ハイダイナミックレンジの伝送ビデオデータは、ハイダイナミックレンジビデオデータにハイダイナミックレンジ光電変換を適用して得られたものである。
【００３０】
図３は、物理空間の線形な光の輝度を有限帯域の伝送空間に変換する際に用いられる、非線形な輝度符号値特性を表す、いわゆる光電変換特性の例を示している。この図において、横軸は入力輝度レベルを示し、縦軸は伝送符号値を示す。曲線ａは、入力輝度レベルが０〜１００％の通常ダイナミックレンジビデオデータに適用されるＳＤＲ光電変換特性の例を示している。また、曲線ｂ１は、入力輝度レベルが０〜Ｎ＊１００％のハイダイナミックレンジビデオデータに適用されるＨＤＲ光電変換特性の例（ＳＤＲ光電変換特性と互換性を持つ例）を示している。この例の場合、入力輝度レベルが互換限界値までは、ＳＤＲ光電変換特性と一致している。入力輝度レベルが互換限界値であるとき、伝送符号値は互換レベルとなる。
【００３１】
また、曲線ｂ２は、入力輝度レベルが０〜Ｎ＊１００％のハイダイナミックレンジビデオデータに適用されるＨＤＲ光電変換特性の例（ＳＤＲ光電変換特性と互換性を持たない例）を示している。さらに、曲線ｂ３は、入力輝度レベルが０〜Ｍ＊１００％のハイダイナミックレンジビデオデータに適用されるＨＤＲ光電変換特性の例（ＳＤＲ光電変換特性と互換性を持たない例）を示している。ここで、Ｎ、Ｍはそれぞれ１より大きい数であり、Ｍ＜Ｎである。なお、この例ではＭ＜Ｎとしているが、一般的な場合も含めると、ｂ２とｂ３の最高輝度の関係は、Ｍ≧Ｎでもよい。
【００３２】
図２に戻って、ビデオエンコーダ１０２には、入力される伝送ビデオデータのダイナミックレンジ情報および色域情報が入力される。ビデオエンコーダ１０２は、このダイナミックレンジ情報および色域情報を、ビデオストリームＶＳに挿入する。ここで、ダイナミックレンジ情報は、伝送ビデオデータが持つ光電変換特性に対応した電光変換特性を示す情報（transfer function）である。
【００３３】
このとき、ビデオエンコーダ１０２は、アクセスユニット（ＡＵ）のＳＰＳ ＮＡＬユニットのＶＵＩ（video usability information）の領域に、伝送ビデオデータが持つ光電変換特性に対応した電光変換特性を示す情報（transfer function）、伝送ビデオデータの色域情報、リファレンスレベルを示す情報などのメタ情報を挿入する。また、ビデオエンコーダ１０２は、アクセスユニット（ＡＵ）の“ＳＥＩｓ”の部分に、伝送ビデオデータが持つ光電変換特性に対応した電光変換特性を示す情報（transfer function）、リファレンスレベルの情報などのメタ情報を持つＳＥＩメッセージ（SEI message）を挿入する。
【００３４】
ここで、ＳＥＩメッセージに、電光変換特性を示す情報を持たせるのは、伝送ビデオデータがＨＤＲ伝送ビデオデータであっても、ＨＤＲ光電変換特性がＳＤＲ光電変換特性と互換性を持つ場合、ＳＰＳ ＮＡＬユニットのＶＵＩには、従来のＳＤＲ対応受信機が識別できるようにＳＤＲ光電変換特性に対応した電光変換特性（ガンマ特性）を示す情報が挿入されるので、ＨＤＲ対応受信機が受信したビデオがＨＤＲであることを識別できるためにはＶＵＩ以外の場所にＨＤＲ光電変換特性に対応した電光変換特性を示す情報が必要となるからである。
【００３５】
また、ＳＥＩメッセージに、リファレンスレベルの情報を持たせるのは、伝送ビデオデータＶ１がＳＤＲ伝送ビデオデータであるとき、ＳＰＳ ＮＡＬユニットのＶＵＩにＳＤＲ光電変換特性に対応した電光変換特性（ガンマ特性）を示す情報が挿入されるが、リファレンスレベルを挿入することに関しては規格明記がないからである。
【００３６】
この場合、電光変換特性を示す情報（transfer function）により、例えば、「BT.709-5 Transfer Function(SDR)」、「10bit BT.2020 Transfer Function(SDR)」、「SMPTE 2084 Transfer Function(HDR1)」、「HDR(HDR2)」などの電光変換特性が示される。なお、「HDR(HDR2)」は、“Ｈｕｍａｎ  Ｖｉｓｕａｌ  Ｓｙｓｔｅｍ”をサポートする特性ではなく、従来からのガンマ特性に部分的に同種の特性を有する変換特性になる。また、色域情報により、「BT.709-5」、「BT.2020」、「SMPTE 428 or XYZ」などの色域が示される。
【００３７】
静止画エンコーダ１０４は、入力されるイメージデータに対して、例えば、ＪＰＥＧの符号化を施して符号化ビデオデータを得る。静止画エンコーダ１０４には、イメージデータのダイナミックレンジ情報および色域情報が入力される。静止画エンコーダ１０４は、このダイナミックレンジ情報および色域情報を、符号化データに挿入する。ここで、ダイナミックレンジ情報は、イメージデータが持つ光電変換特性に対応した電光変換特性を示す情報（transfer function）である。
【００３８】
静止画エンコーダ１０４は、電光変換特性を示す情報（transfer function）に関しては、例えば、ＪＰＥＧ規格で定義されているエグジフ（Exif: Exchangeable image file format）規格で定めるガンマ・タグ（Gamma tag）の値（Value）を用いる。現状では“１６(Gamma = BT.709-5 Transfer Function(SDR))”が定義されているが、他の値に「10bit BT.2020 Transfer Function(SDR)」、「SMPTE 2084 Transfer Function(HDR1)」、「HDR(HDR2)」などを定義して用いる。
【００３９】
また、静止画エンコーダ１０４は、色域情報に関しては、例えば、ＪＰＥＧ規格で定義されているエグジフ（Exif）規格で定めるカラースペース・タグ（ColorSpace tag）の値（Value）を用いる。現状では“１(sRGB = BT.709-5)”が定義されているが、他の値に「BT.2020」、「SMPTE 428 or XYZ」などを定義して用いる。
【００４０】
データサービスエンコーダ１０３は、入力されるグラフィックスデータ、さらには静止画エンコーダ１０４から入力される符号化データに対してエンコード処理を施して、コンポーネントストリームとしてのデータサービスストリームＤＳを生成する。このデータサービスストリームＤＳには、コンポーネントデータとして、イメージデータおよびグラフィックスデータが含まれている。
【００４１】
データサービスエンコーダ１０３には、グラフィックスデータのダイナミックレンジ情報および色域情報が入力される。データサービスエンコーダ１０３は、このダイナミックレンジ情報および色域情報を、データサービスストリームＤＳに挿入する。ここで、ダイナミックレンジ情報は、グラフィックスデータが持つ光電変換特性に対応した電光変換特性を示す情報（transfer function）である。
【００４２】
データサービスエンコーダ１０３は、電光変換特性を示す情報（transfer function）に関しては、例えば、ダイナミックレンジ情報「D_range」を拡張定義し、「BT.709-5 Transfer Function(SDR)」、「10bit BT.2020 Transfer Function(SDR)」、「SMPTE 2084 Transfer Function(HDR1)」、「HDR(HDR2)」などを示す。また、データサービスエンコーダ１０３は、色域情報に関しては、例えば、「gfx.color_management.mode」の項目を用いて、「BT.709-5」、「BT.2020」、「SMPTE 428 or XYZ」などの色域が示す。
【００４３】
サブタイトルエンコーダ１０５は、入力される字幕データに対してエンコード処理を施して、コンポーネントストリームとしてのサブタイトルストリームＳＳを生成する。このサブタイトルストリームＳＳには、コンポーネントデータとして、字幕データが含まれている。詳細説明は省略するが、このサブタイトルストリームＳＳには、ＴＴＭＬ（Timed Text Markup Language）等の字幕のテキスト情報が含まれるか、あるいは字幕のビットマップデータが含まれる。
【００４４】
サブタイトルエンコーダ１０５には、字幕データのダイナミックレンジ情報および色域情報が入力される。サブタイトルエンコーダ１０５は、このダイナミックレンジ情報および色域情報を、サブタイトルストリームＳＳに挿入する。
【００４５】
サブタイトルエンコーダ１０５は、サブタイトルストリームＳＳが字幕のテキスト情報としてのＴＴＭＬを含む場合には、例えば、ＴＴＭＬ構造のヘッダに存在するメタデータ（metadata）の要素を利用して、サブタイトルデータに係る色域識別情報およびダイナミックレンジ情報の挿入を行うか、あるいはＴＴＭＬ構造のヘッダに存在するスタイリング・エクステンション（styling extension）の要素を利用して、サブタイトルデータに係る色域識別情報およびダイナミックレンジ情報の挿入を行うか、あるいはサブタイトルストリームＳＳにサブタイトルデータに係る色域識別情報およびダイナミックレンジ情報を含むセグメントを挿入する。
【００４６】
一方、サブタイトルエンコーダ１０５は、サブタイトルストリームＳＳが字幕のビットマップデータを含む場合には、例えば、サブタイトルストリームＳＳにサブタイトルデータに係る色域識別情報およびダイナミックレンジ情報を含むセグメントを挿入する。
【００４７】
この場合、電光変換特性を示す情報（transfer function）により、例えば、「BT.709-5 Transfer Function(SDR)」、「10bit BT.2020 Transfer Function(SDR)」、「SMPTE 2084 Transfer Function(HDR1)」、「HDR(HDR2)」などの電光変換特性が示される。なお、「HDR(HDR2)」は、ＰＱカーブではなく、いわゆるハイブリッドガンマと称されるものである。また、色域情報により、「BT.709-5」、「BT.2020」、「SMPTE 428 or XYZ」などの色域が示される。
【００４８】
コンテナエンコーダ１０６は、ビデオエンコーダ１０２で生成されたビデオストリームＶＳ、データサービスエンコーダ１０３で生成されたデータサービスストリームＤＳおよびサブタイトルエンコーダ１０５で生成されたサブタイトルストリームＳＳを含むトランスポートストリーム（ＭＰＥＧ−２  ＴＳあるいはＭＭＴのトランスポートストリーム）を生成する。送信部１０７は、このトランスポートストリームを、放送波あるいはネットのパケットに載せて、サービス受信機２００に送信する。
【００４９】
この際、コンテナエンコーダ１０６は、トランスポートストリームに、それに含まれるビデオストリームＶＳが持つ伝送ビデオデータの種類を示す識別情報を、この伝送ビデオデータの種類の切り替えタイミングより所定の時間量以上だけ前のタイミングから切り替え後の伝送ビデオデータの種類を示すように挿入する。このように識別情報の挿入が管理されることで、受信側に、伝送ビデオデータの動的な切り替えが通知される。
【００５０】
図４は、ＳＤＲ伝送ビデオデータ（ＳＤＲサービス）とＨＤＲ伝送ビデオデータ（ＨＤＲサービス）の切り換えタイミングＳｎ（Ｓ０，Ｓ１，Ｓ２，・・・）と、切換え後の伝送ビデオデータを識別するための識別情報の挿入タイミングＴｎ（Ｔ０，Ｔ１，Ｔ２，・・・）の関係を示している。以下の（１）式を満足するように、タイミングＴｎはタイミングＳｎよりもｔ（所定の時間量）以上だけ前のタイミングとされる。なお、図示の例は、Ｓｎ−Ｔｎ ＝ ｔ （ただし、ｔは正値）である場合を示している。
Ｓｎ−Ｔｎ ≧ ｔ      ・・・（１）
【００５１】
コンテナエンコーダ１０９は、ビデオストリームＶＳに対応させて、例えば、新規定義する、ＨＤＲ・ビデオ・デスクリプタ（HDR_vido_descriptor）を挿入する。このデスクリプタは、例えば、トランスポートストリームがＭＰＥＧ−２  ＴＳのトランスポートストリームであるときには、プログラム・マップ・テーブル（ＰＭＴ：Program Map Table）の配下、あるいはインベント・インフォメーション・テーブル（ＥＩＴ：Event Information Table）の配下に挿入される。また、このデスクリプタは、トランスポートストリームがＭＭＴのトランスポートストリームであるときには、ＭＰテーブル（ＭＰＴ：MMT Package Table）の配下、あるいは、インベント・インフォメーション・テーブル（ＥＩＴ：Event Information Table）の配下に挿入される。
【００５２】
図５は、ＨＤＲ・ビデオ・デスクリプタの構造例(Syntax)を示し、図６は、その構造例における主要な情報の内容（Semantics）を示している。「descriptor_tag」の８ビットフィールドは、デスクリプタのタイプを示し、ここでは、ＨＤＲ・ビデオ・デスクリプタであることを示す。「descriptor_length」の８ビットフィールドは、デスクリプタの長さ（サイズ）を示し、デスクリプタの長さとして以降のバイト数を示す。
【００５３】
「HDR_SDR_flag」の１ビットのフラグ情報は、対象のストリームがＨＤＲストリームであるかＳＤＲストリームであるかを示す。“１”はＨＤＲストリームであることを示し、“０”はＳＤＲストリームであることを示す。「video_characteristics_info_flag」の１ビットのフラグ情報は、特性情報があるか否かを示す。“１”は特性情報があることを示し、“０”は特性情報がないことを示す。
【００５４】
「video_characteristics_info_flag」が“１”であるとき、「transferfunction」、「color_space」および「referencelevel」の各８ビットフィールドが存在する。「transferfunction」の８ビットフィールドは、電光変換特性（ＥＯＴＦ特性）を示す。つまり、このフィールドは、伝送ビデオデータが持つ光電変換特性に対応した電光変換特性を示す。例えば、“１”は「BT.709-5 Transfer Function(SDR)」を示し、“１４”は「10bit BT.2020 Transfer Function(SDR)」を示し、“１６”は「SMPTE 2084 Transfer Function(HDR1)」を示し、“２５”は「HDR(HDR2)」を示す。なお、「HDR(HDR2)」は、ＨＤＲ電光変換特性を示すが、ＰＱカーブではなく、従来ガンマ特性と輝度・伝送特性において部分的な互換性をもつ、あるいはそれに近似する特性をもつと考えられるものである。
【００５５】
「color_space」の８ビットフィールドは、色空間を示す。例えば、“１”は「BT.709-5」を示し、“９”は「BT.2020」を示し、“１０”は「SMPTE 428 or XYZ」を示す。
【００５６】
「referencelevel」の８ビットフィールドは、基準レベル（リファレンスレベル）を示す。この場合、基準レベルとして、最大「１」に正規化された相対範囲の中を０〜１００の値で指定した値が記述される。受信側では、この値を１００で割ったものが正規化された相対基準レベルとして認識される。「content_peak_luminance」の８ビットフィールドは、画像に含まれる伝送符号のピーク値に対応する輝度の相対値（％表現）を示す。この相対値は、例えば、後述するニー（knee）カーブを制御するために役立つ。
【００５７】
また、コンテナエンコーダ１０６は、トランスポートストリームに、それに含まれるサブタイトルストリームＳＳが持つ字幕データの種類、つまりＳＤＲデータであるかＨＤＲデータであるかを示す識別情報を、この字幕データの種類の切り替えタイミングより所定の時間量以上だけ前のタイミングから切り替え後の字幕データの種類を示すように挿入する。このように識別情報の挿入が管理されることで、受信側に、字幕データの動的な切り替えが通知される。
【００５８】
コンテナエンコーダ１０９は、サブタイトルストリームＳＳに対応させて、例えば、新規定義する、ＨＤＲ・サブタイトル・デスクリプタ（HDR_subtitle_descriptor）を挿入する。このデスクリプタは、例えば、トランスポートストリームがＭＰＥＧ−２  ＴＳのトランスポートストリームであるときには、プログラム・マップ・テーブル（ＰＭＴ：Program Map Table）の配下に挿入される。また、このデスクリプタは、トランスポートストリームがＭＭＴのトランスポートストリームであるときには、ＭＰテーブル（ＭＰＴ：MMT Package Table）の配下に挿入される。
【００５９】
図７は、ＨＤＲ・サブタイトル・デスクリプタの構造例(Syntax)を示している。「descriptor_tag」の８ビットフィールドは、デスクリプタのタイプを示し、ここでは、ＨＤＲ・サブタイトル・デスクリプタであることを示す。「descriptor_length」の８ビットフィールドは、デスクリプタの長さ（サイズ）を示し、デスクリプタの長さとして以降のバイト数を示す。
【００６０】
「HDR_SDR_flag」の１ビットのフラグ情報は、対象のストリームがＨＤＲストリームであるかＳＤＲストリームであるかを示す。“１”はＨＤＲストリームであることを示し、“０”はＳＤＲストリームであることを示す。「subtitle_characteristics_info_flag」の１ビットのフラグ情報は、特性情報があるか否かを示す。“１”は特性情報があることを示し、“０”は特性情報がないことを示す。「subtitle_characteristics_info_flag」が“１”であるとき、「transferfunction」、「color_space」および「referencelevel」の各８ビットフィールドが存在する。
【００６１】
「transferfunction」の８ビットフィールドは、電光変換特性（ＥＯＴＦ特性）を示す。つまり、このフィールドは、伝送ビデオデータが持つ光電変換特性に対応した電光変換特性を示す。例えば、“１”は「BT.709-5 Transfer Function(SDR)」を示し、“１４”は「10bit BT.2020 Transfer Function(SDR)」を示し、“１６”は「SMPTE 2084 Transfer Function(HDR1)」を示し、“２５”は「HDR(HDR2)」を示す。なお、「HDR(HDR2)」は、ＨＤＲ電光変換特性を示すが、ＰＱカーブではなく、従来ガンマ特性と輝度・伝送特性において部分的な互換性をもつ、あるいはそれに近似する特性をもつと考えられるものである。
【００６２】
「color_space」の８ビットフィールドは、色空間を示す。例えば、“１”は「BT.709-5」を示し、“９”は「BT.2020」を示し、“１０”は「SMPTE 428 or XYZ」を示す。「referencelevel」の８ビットフィールドは、基準レベル（リファレンスレベル）を示す。この場合、基準レベルとして、最大「１」に正規化された相対範囲の中を０〜１００の値で指定した値が記述される。受信側では、この値を１００で割ったものが正規化された相対基準レベルとして認識される。
【００６３】
図８は、ＭＰＥＧ−２  ＴＳのトランスポートストリームの構造例を示している。この構造例では、ＰＩＤ１で識別されるビデオストリームＶＳのＰＥＳパケット「Video PES」、ＰＩＤ２で識別されるサブタイトルストリームＳＳのＰＥＳパケット「Subtitle PES」が存在する他、カルーセル（carousel）方式で伝送されるデータサービスストリームＤＳが存在する。なお、サブタイトルストリームＳＳは上記のようにＰＥＳで伝送される以外にも、データサービス同様に、カルーセル方式で伝送される場合もあるが、それによってサブタイトルストリームＳＳの中身に変化はない。
【００６４】
また、トランスポートストリームＴＳには、ＰＳＩ（Program Specific Information）として、プログラム・マップ・テーブル（ＰＭＴ：Program Map Table）が含まれている。ＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。
【００６５】
ＰＭＴには、各エレメンタリストリームに関連した情報を持つエレメンタリストリーム・ループが存在する。この構造例では、ビデオストリームＶＳに対応したビデオ・エレメンタリストリーム・ループ（Video ES loop）と、サブタイトルストリームＳＳに対応したサブタイトル・エレメンタリストリーム・ループ（Subtitle ES loop）が存在する。
【００６６】
ビデオ・エレメンタリストリーム・ループには、ビデオストリームＶＳに対応して、ストリームタイプ、ＰＩＤ（パケット識別子）等の情報が配置されると共に、そのビデオストリームＶＳに関連する情報を記述するデスクリプタも配置される。このデスクリプタの一つとして、上述した、ＨＤＲ・ビデオ・デスクリプタ（図５参照）が配置される。なお、このＨＤＲ・ビデオ・デスクリプタが、破線図示するように、イベント・インフォメーション・テーブル（ＥＩＴ：Event Information Table）の配下に配置する構造も考えられる。
【００６７】
また、サブタイトル・エレメンタリストリーム・ループには、サブタイトルストリームＳＳに対応して、ストリームタイプ、ＰＩＤ（パケット識別子）等の情報が配置されると共に、そのビデオストリームＶＳに関連する情報を記述するデスクリプタも配置される。このデスクリプタの一つとして、上述した、ＨＤＲ・サブタイトル・デスクリプタ（図７参照）が配置される。
【００６８】
図９は、ＭＭＴのトランスポートストリームの構造例を示している。ＭＭＴのトランスポートストリームには、パケットタイプが“MPU”である場合、ＩＤ１で識別されるビデオストリームＶＳのＭＰＵパケット「MPU video」と、ＩＤ２で識別されるサブタイトルストリームＳＳのＭＰＵパケット「MPU subtitle」が配置される。また、このＭＭＴのトランスポートストリームには、パケットタイプが“non-timed packet”である場合、データサービスストリームＤＳが配置される。
【００６９】
また、ＭＭＴのトランスポートストリームには、パケットタイプが“message”である場合、種々のメッセージパケットが配置される。このメッセージパケットの一つとしてＰＡ（Packet Access）メッセージパケットがある。ＰＡメッセージパケットには、ＭＰＴなどのテーブルが含まれている。
【００７０】
ＭＰＴには、アセットとしてのビデオストリームＶＳに対応して、アセットタイプ（Asset_type）、パケットＩＤ（Packet_id）等の情報が配置されると共に、そのビデオストリームＶＳに関連する情報を記述するデスクリプタも配置される。このデスクリプタの一つとして、上述した、ＨＤＲ・ビデオ・デスクリプタ（図５参照）が配置される。なお、このＨＤＲ・ビデオ・デスクリプタが、破線図示するように、イベント・インフォメーション・テーブル（ＥＩＴ：Event Information Table）の配下に配置する構造も考えられる。
【００７１】
また、ＭＰＴには、アセットとしてのサブタイトルストリームＳＳに対応して、アセットタイプ（Asset_type）、パケットＩＤ（Packet_id）等の情報が配置されると共に、そのサブタイトルストリームＳＳに関連する情報を記述するデスクリプタも配置される。このデスクリプタの一つとして、上述した、ＨＤＲ・サブタイトル・デスクリプタ（図７参照）が配置される。
【００７２】
図２に示すサービス送信システム１００の動作を簡単に説明する。ビデオエンコード１０２に伝送ビデオデータが入力されると共に、この伝送ビデオデータのダイナミックレンジ情報および色域情報が入力される。ここで、ダイナミックレンジ情報は、伝送ビデオデータが持つ光電変換特性に対応した電光変換特性を示す情報（transfer function）である。
【００７３】
このように入力される伝送ビデオデータは、複数の種類の伝送ビデオデータを切り替えて得られたものである。複数の種類の伝送ビデオデータには、例えば、通常ダイナミックレンジビデオデータに通常ダイナミックレンジ光電変換を適用して得られた通常ダイナミックレンジの伝送ビデオデータと、ハイダイナミックレンジビデオデータにハイダイナミックレンジ光電変換を適用して得られたハイダイナミックレンジの伝送ビデオデータが含まれる。
【００７４】
ビデオエンコーダ１０２では、伝送ビデオデータに対して、例えば、ＭＰＥＧ４−ＡＶＣあるいはＨＥＶＣなどの符号化が施されて符号化ビデオデータが得られ、この符号化ビデオデータを含む、コンポーネントストリームとしてのビデオストリームＶＳが生成される。このビデオストリームＶＳには、コンポーネントデータとしての伝送ビデオデータが含まれている。
【００７５】
また、ビデオエンコーダ１０２では、このようにビデオストリームＶＳが生成されるとき、このビデオストリームＶＳにダイナミックレンジ情報および色域情報を挿入することが行われる。この場合、アクセスユニット（ＡＵ）のＳＰＳ ＮＡＬユニットのＶＵＩ（video usability information）の領域に、伝送ビデオデータが持つ光電変換特性に対応した電光変換特性を示す情報（transfer function）、伝送ビデオデータの色域情報、リファレンスレベルを示す情報などのメタ情報が挿入される。また、この場合、アクセスユニット（ＡＵ）の“ＳＥＩｓ”の部分に、伝送ビデオデータが持つ光電変換特性に対応した電光変換特性を示す情報（transfer function）、リファレンスレベルの情報などのメタ情報を持つＳＥＩメッセージ（SEI message）が挿入される。
【００７６】
また、静止画エンコーダ１０４にイメージデータが入力されると共に、このイメージデータのダイナミックレンジ情報および色域情報が入力される。ここで、ダイナミックレンジ情報は、伝送ビデオデータが持つ光電変換特性に対応した電光変換特性を示す情報（transfer function）である。
【００７７】
静止画エンコーダ１０４では、イメージデータに対して、例えば、ＪＰＥＧの符号化が施されて符号化ビデオデータが得られる。このとき、符号化データに、ダイナミックレンジ情報および色域情報が挿入される。この場合、電光変換特性を示す情報（transfer function）に関しては、例えば、ＪＰＥＧ規格で定義されているエグジフ（Exif: Exchangeable image file format）規格で定めるガンマ・タグ（Gamma tag）の値（Value）を用いて挿入される。また、色域情報に関しては、例えば、ＪＰＥＧ規格で定義されているエグジフ（Exif）規格で定めるカラースペース・タグ（ColorSpace tag）の値（Value）を用いて挿入される。
【００７８】
また、データサービスエンコーダ１０３には、グラフィックスデータが入力されると共に、このグラフィックスデータのダイナミックレンジ情報および色域情報が入力される。ここで、ダイナミックレンジ情報は、伝送ビデオデータが持つ光電変換特性に対応した電光変換特性を示す情報（transfer function）である。このデータサービスエンコーダ１０３には、さらに、静止画エンコーダ１０４で得られた符号化データが入力される。
【００７９】
データサービスエンコーダ１０３では、グラフィックスデータ、さらには静止画エンコーダ１０４から入力される符号化データに対してエンコード処理が施されて、コンポーネントストリームとしてのデータサービスストリームＤＳが生成される。このデータサービスストリームＤＳには、コンポーネントデータとして、イメージデータおよびグラフィックスデータが含まれている。
【００８０】
また、データサービスエンコーダ１０３では、このようにデータサービスストリームＤＳが生成されるとき、このデータサービスストリームＤＳにダイナミックレンジ情報および色域情報を挿入することが行われる。この場合、電光変換特性を示す情報（transfer function）に関しては、例えば、ダイナミックレンジ情報「D_range」を拡張定義することで挿入される。また、色域情報に関しては、例えば、「gfx.color_management.mode」の項目を用いて挿入される。
【００８１】
また、サブタイトルエンコーダ１０５には、字幕データが入力されると共に、この字幕データのダイナミックレンジ情報および色域情報が入力される。ここで、ダイナミックレンジ情報は、伝送ビデオデータが持つ光電変換特性に対応した電光変換特性を示す情報（transfer function）である。
【００８２】
サブタイトルエンコーダ１０５では、字幕データに対してエンコード処理が施されて、コンポーネントストリームとしてのサブタイトルストリームＳＳが生成される。このサブタイトルストリームＳＳには、コンポーネントデータとして、字幕データ（ＴＴＭＬ等の字幕のテキスト情報、あるいは字幕のビットマップデータ）が含まれている。
【００８３】
また、サブタイトルエンコーダ１０５では、このようにサブタイトルストリームＳＳが生成されるとき、このサブタイトルストリームＳＳにダイナミックレンジ情報および色域情報を挿入することが行われる。
【００８４】
ここで、サブタイトルストリームＳＳが字幕のテキスト情報としてのＴＴＭＬを含む場合には、例えば、ＴＴＭＬ構造のヘッダに存在するメタデータ（metadata）の要素を利用してサブタイトルデータに係る色域識別情報およびダイナミックレンジ情報が挿入される。また、サブタイトルストリームＳＳが字幕のビットマップデータを含む場合には、例えば、サブタイトルストリームＳＳにサブタイトルデータに係る色域識別情報およびダイナミックレンジ情報を含むセグメントが挿入される。
【００８５】
ビデオエンコーダ１０２で生成されたビデオストリームＶＳ、データサービスエンコーダ１０３で生成されたデータサービスストリームＤＳおよびサブタイトルエンコーダ１０５で生成されたサブタイトルストリームＳＳは、コンテナエンコーダ１０６に供給される。コンテナエンコーダ１０６では、各ストリームを含むトランスポートストリーム（ＭＰＥＧ−２  ＴＳあるいはＭＭＴのトランスポートストリーム）が生成される。
【００８６】
また、コンテナエンコーダ１０２では、このようにトランスポートストリームが生成されるとき、このトランスポートストリームに、それに含まれるビデオストリームＶＳが持つ伝送ビデオデータの種類を示す識別情報が、ビデオストリームＶＳの切り替えタイミングより所定の時間量以上だけ前のタイミングから切り替え後の伝送ビデオデータの種類を示すように挿入される。具体的には、ビデオストリームＶＳに対応して、ＨＤＲ・ビデオ・デスクリプタ（図５参照）が挿入される。また、コンテナエンコーダ１０２では、このトランスポートストリームに、さらに、サブタイトルストリームＳＳに対応して、ＨＤＲ・サブタイトル・デスクリプタ（図７参照）が挿入される。
【００８７】
コンテナエンコーダ１０６で生成されたトランスポートストリームは、送信部１０７に供給される。このトランスポートストリームは、送信部１０７により、放送波あるいはネットのパケットに載せて、サービス受信機２００に送信される。
【００８８】
「サービス受信機の構成例」
図１０は、サービス受信機２００の構成例を示している。このサービス受信機２００は、制御部２０１と、受信部２０２と、コンテナデコーダ２０３と、ビデオデコーダ２０４と、データサービスデコーダ２０５と、静止画デコーダ２０６と、サブタイトルデコーダ２０７と、ＯＳＤ部２０８と、画面合成処理部２０９と、モニタ２１０を有している。
【００８９】
制御部２０１は、ＣＰＵ（Central Processing Unit）を備えて構成され、制御プログラムに基づいて、サービス受信機２００の各部の動作を制御する。受信部２０２は、サービス送信システム１００（図２参照）から放送波あるいはネットのパケットに載せて送られてくるコンテナとしてのトランスポートストリーム（ＭＰＥＧ−２  ＴＳあるいはＭＭＴのトランスポートストリーム）を受信する。コンテナデコーダ２０３は、トランスポートストリームから、ビデオストリームＶＳ、データサービスストリームＤＳおよびサブタイトルストリームＳＳを抽出する。
【００９０】
また、コンテナデコーダ２０３は、トランスポートストリームに挿入されている種々の情報を抽出し、制御部２０１に送る。この情報には、上述した、伝送ビデオデータの識別情報が記述された、ＨＤＲ・ビデオ・デスクリプタ（図５参照）、ＨＤＲ・サブタイトル・デスクリプタ（図７参照）も含まれる。
【００９１】
制御部２０１は、ＨＤＲ・ビデオ・デスクリプタの記述に基づいて、ビデオストリームＶｓに含まれる伝送ビデオデータがＳＤＲ伝送ビデオデータであるか、ＨＤＲ伝送ビデオデータであるかを認識する。上述したように、伝送ビデオデータの種類の識別情報は、この伝送ビデオデータの種類の切り替えタイミングより所定の時間量以上だけ前のタイミングから切り替え後の伝送ビデオデータの種類を示すように、トランスポートストリームに挿入されている。
【００９２】
また、制御部２０１は、ＨＤＲ・サブタイトル・デスクリプタの記述に基づいて、サブタイトルストリームＳＳが持つ字幕データの種類、つまりＳＤＲデータであるかＨＤＲデータであるかを認識する。上述したように、字幕データの種類の識別情報は、この字幕データの種類の切り替えタイミングより所定の時間量以上だけ前のタイミングから切り替え後の伝送ビデオデータの種類を示すように、トランスポートストリームに挿入されている。
【００９３】
ビデオデコーダ２０４は、コンテナデコーダ２０３で抽出されたビデオストリームＶＳに対してデコード処理を施して、伝送ビデオデータを得ると共に、この伝送ビデオデータのダイナミックレンジ情報および色域情報を得る。ここで、ダイナミックレンジ情報は、伝送ビデオデータが持つ光電変換特性に対応した電光変換特性を示す情報（transfer function）である。
【００９４】
データサービスデコーダ２０５は、コンテナデコーダ２０３で抽出されたデータサービスストリームＤＳに対してデコード処理を施して、グラフィックスデータ（ビットマップデータ）を得ると共に、このグラフィックスデータのダイナミックレンジ情報および色域情報を得、さらにイメージデータに係る符号化データを得る。静止画デコーダ２０６は、データサービスデコーダ２０５で得られた符号化データに対してデコード処理を施して、イメージデータを得ると共に、このイメージデータのダイナミックレンジ情報および色域情報を得る。
【００９５】
サブタイトルデコーダ２０７は、コンテナデコーダ２０３で抽出されたサブタイトルストリームＳＳに対してデコード処理を施して、字幕データ（ビットマップデータ）を得ると共に、この字幕データのダイナミックレンジ情報および色域情報を得る。ＯＳＤ部２０８は、ＯＳＤ（On-screen display）用のグラフィックスデータ（ビットマップデータ）を出力すると共に、このグラフィックスデータのダイナミックレンジ情報および色域情報を出力する。
【００９６】
画面合成処理部２０９は、ビデオデコーダ２０４で得られた伝送ビデオデータ、データサービスデコーダ２０５で得られたグラフィックスデータ、静止画デコーダ２０６で得られたイメージデータ、サブタイトルデコーダ２０７で得られた字幕データおよびＯＳＤ部２０８で得られたグラフィックスデータを合成して、モニタ２１０の表示性能に対応した表示用画像データを生成する。モニタ２１０は、ＨＤＲかつ広色域、あるいはＳＤＲかつ通常色域などの表示性能を有し、表示用画像データによる画像を表示する。
【００９７】
画面合成処理部２０９は、各データを、それぞれのデータのダイナミックレンジ情報に基づいて表示性能に合うように輝度マッピング処理を施した後に合成する。また、画面合成処理部２０９は、各データを、それぞれのデータの色域情報に基づいて表示性能に合うように色域変換処理を施した後に合成する。
【００９８】
図１１は、表示性能がＨＤＲである場合における輝度マッピング処理の概要を示している。伝送ビデオデータやイメージデータに関しては、ダイナミックレンジ情報がＨＤＲを示す場合にはデータビット表現範囲の最大値が明るさ最大レベルに対応するように輝度マッピング処理をし、ダイナミックレンジ情報がＳＤＲを示す場合にはデータビット表現範囲の最大値が明るさ基準レベルに対応するように輝度マッピング処理をする。
【００９９】
また、グラフィックスデータや字幕データに関しては、ダイナミックレンジ情報がＨＤＲを示す場合、つまりきらめき成分を有する場合にはデータビット表現範囲の最大値が明るさ最大レベルに対応するように輝度マッピング処理をし、ダイナミックレンジ情報がＳＤＲを示す場合、つまりきらめき成分を有しない場合にはデータビット表現範囲の最大値が明るさ基準レベルに対応するように輝度マッピング処理をする。
【０１００】
この場合、明るさ基準レベルとしては、例えば、伝送ビデオデータ、イメージデータに対応して設定された明るさ基準レベル（referencelevel）（図５参照）を使用できる他、例えば、グラフィックスデータ、字幕データに対応して設定された明るさ基準レベル（referencelevel）（図７参照）を用いることもできる。また、この場合、伝送ビデオデータ、イメージデータに関しては、伝送ビデオデータ、イメージデータに対応して設定された明るさ基準レベル（referencelevel）を用い、グラフィックスデータ、字幕データに関しては、グラフィックスデータ、字幕データに対応して設定された明るさ基準レベル（referencelevel）を用いることもできる。また、明るさ基準レベルは、１００nits（１００％輝度）でもよいが、その明るさには限定されない。例えば、明るさ基準レベルは、２００nits（２００％輝度）あるいは３００nits（３００％輝度）などと、予め設定されるものになる。
【０１０１】
図１２は、表示性能がＨＤＲかつ広色域である場合における画面合成処理部２０９の構成例を示している。この画面合成処理部２０９は、色域変換部２１１ａ，２１１ｂ，２１１ｃ，２１１ｄと、輝度マッピング部２１２ａ，２１２ｂ，２１２ｃ，２１２ｄと、合成部２１３と、ＨＤＲ電光変換部２１４を有している。
【０１０２】
ビデオデコーダ２０４から供給される伝送ビデオデータは、色変換部２１１ａおよび輝度マッピング部２１２ａの直列回路に供給される。色域変換部２１１ａは、色域情報に基づいて、この伝送ビデオデータの色域をディスプレイの表示性能に合った広色域に変換する。例えば、伝送ビデオデータの色域が“BT.709-5 = sRGB”であって、表示性能に合った色域が“BT.2020 = ITUR2020”であるとき、伝送ビデオデータの色域は、“BT.709-5”から“BT.2020”に変換される。なお、伝送ビデオデータの色域が表示性能に合った広色域と同じであるとき、色域変換部２１２ａは、実質的に何もせずに、入力データをそのまま出力する。
【０１０３】
輝度マッピング部２１２ａは、ダイナミックレンジ情報に基づいて、この伝送ビデオデータに、ハイダイナミックレンジの表示性能に合うように、輝度マッピングをする。輝度マッピング部２１２ａは、図１３に示すように、電光変換部（ＥＯＴＦ部）２２１と光電変換部（ＯＥＴＦ部）２２２の直列回路で構成される。
【０１０４】
電光変換部（ＥＯＴＦ部）２２１では、入力される伝送ビデオデータに、この伝送ビデオデータに適用されている光電変換特性（ＯＥＴＦ特性）から、線形な光空間特性になるような変換が施される。光電変換部（ＯＥＴＦ部）２２２では、電光変換部２２１の出力データに、ＨＤＲ電光変換部２１４における電光変換特性（ＥＯＴＦ特性）とは逆の光電変換特性（ＯＥＴＦ特性）による光電変換が施される。
【０１０５】
ここで、入力伝送ビデオデータがＳＤＲ伝送ビデオデータである場合について説明する。この場合、輝度マッピング部２１２ａでは、輝度マッピング処理が施されることで、ＳＤＲ伝送ビデオデータからＨＤＲ伝送ビデオデータに変換される。この場合、輝度マッピング部２１２ａは、図１４（ａ）に示すように、ＳＤＲ電光変換部２３１とＨＤＲ光電変換部２３２の直列回路で構成され、変換は明るさ基準レベルを元にＳＤＲビット空間からＨＤＲビット空間へと行われる。
【０１０６】
ＳＤＲ電光変換部２３１では、ＳＤＲ伝送ビデオデータに、図１４（ｂ）に矢印ａで示すＳＤＲ電光変換特性による電光変換が施される。この場合、入力されるＳＤＲ伝送ビデオデータの輝度レベル０〜１００％は、リニアな光線空間で最大１００nits（＝１００cd/m2）となる。ここで、１００nitsは基準レベルの明るさを示す。なお、基準レベルの明るさは１００nitsに限定されるものではなく、例えば、２００nitsあるいは３００nitsであってもよい。このことは、以下の他の例においても同様である。
【０１０７】
また、ＨＤＲ光電変換部２３２では、図１４（ｃ）に矢印ｂで示すＨＤＲ光電変換特性による光電変換が施される。この場合、ＳＤＲ電光変換部２３１の出力データは、０〜Ｎ＊１００の伝送範囲のうちの０〜１００に再割り当てされる。これにより、ＳＤＲ伝送ビデオデータは当初符号化ビット幅いっぱいで表現されていたものが、ＨＤＲ伝送ビデオデータとして再割り当てされた後は伝送範囲の部分的な範囲内に集約される。
【０１０８】
次に、入力伝送ビデオデータがＨＤＲ伝送ビデオデータであって、このＨＤＲ伝送ビデオデータが持つ光電変換特性（ＯＥＴＦ特性）がＨＤＲ電光変換部２１４における電光変換特性（ＥＯＴＦ特性）の逆特性に一致しない場合について説明する。なお、このＨＤＲ伝送ビデオデータが持つ光電変換特性がＨＤＲ電光変換部２１４における電光変換特性の逆特性と一致する場合には、輝度マッピング部２１２ａは、実質的に何もせずに、入力データをそのまま出力する。
【０１０９】
この場合、輝度マッピング部２１２ａでは、輝度マッピング処理が施されることで、ＨＤＲ１伝送ビデオデータからＨＤＲ２伝送ビデオデータに変換される。この場合、輝度マッピング部２１２ａは、図１５（ａ）に示すように、ＨＤＲ１電光変換部２４１とＨＤＲ２光電変換部２４２の直列回路で構成される。
【０１１０】
ＨＤＲ１電光変換部２４１では、ＨＤＲ１伝送ビデオデータに、図１５（ｂ）に矢印ａで示すＨＤＲ１電光変換特性による電光変換が施される。この場合、入力されるＨＤＲ１伝送ビデオデータの輝度レベル０〜Ｎ＊１００％は、リニアな光線空間で最大Ｎ＊１００nits（＝Ｋ１）に対応する。
【０１１１】
そして、この場合、図示のようにＨＤＲ１のＮ＊１００％がＨＤＲ２のＭ＊１００％よりも大きいときは、ＨＤＲ１電光変換部２４１では、さらに、電光変換入力の信号に対して、１００〜Ｎ＊１００％の輝度レベルが、ニー(knee)カーブ（図１５（ｂ）に矢印ｂで示す）によって、１００〜Ｍ＊１００％の輝度レベルとなるように輝度変換される。なお、図１５（ｂ）において、“Ｋ１”はＮ＊１００％に対応した輝度値［nits］を示し、“Ｋ２”はＭ＊１００％に対応した輝度値［nits］を示している。なお、図示は省略するが、ＨＤＲ１のＮ＊１００％がＨＤＲ２のＭ＊１００％以下である場合には、このような輝度変換はされない。
【０１１２】
また、ＨＤＲ光電変換部２４２では、図１５（ｃ）に矢印ｃで示すＨＤＲ２光電変換特性による光電変換が施される。この場合、ＨＤＲ電光変換部２４１の出力データが、０〜Ｍ＊１００の伝送範囲の全体に再割り当てされる。
【０１１３】
図１２に戻って、静止画デコーダ２０６から供給されるイメージデータは、色変換部２１１ｂおよび輝度マッピング部２１２ｂの直列回路に供給される。色域変換部２１１ｂは、色域情報に基づいて、このイメージデータの色域を表示性能に合った広色域に変換する。輝度マッピング部２１２ｂは、ダイナミックレンジ情報に基づいて、このイメージデータに、ハイダイナミックレンジの表示性能に合うように、輝度マッピングをする。なお、色変換部２１１ｂ、輝度マッピング部２１２ｂの詳細については、上述の伝送ビデオデータに対応した色変換部２１１ａ、輝度マッピング部２１２ａと同様であるので、省略する。
【０１１４】
また、サブタイトルエンコーダ２０７から供給される字幕データは、色変換部２１１ｃおよび輝度マッピング部２１２ｃの直列回路に供給される。色域変換部２１１ｃは、色域情報に基づいて、この字幕データの色域を表示性能に合った広色域に変換する。輝度マッピング部２１２ｃは、ダイナミックレンジ情報に基づいて、この字幕データに、ハイダイナミックレンジの表示性能に合うように、輝度マッピングをする。なお、色変換部２１１ｃ、輝度マッピング部２１２ｃの詳細については、上述の伝送ビデオデータに対応した色変換部２１１ａ、輝度マッピング部２１２ａと同様であるので、省略する。
【０１１５】
また、データサービスデコーダ２０５あるいはＯＳＤ部２０８から供給されるグラフィックスデータは、色変換部２１１ｄおよび輝度マッピング部２１２ｄの直列回路に供給される。色域変換部２１１ｄは、色域情報に基づいて、このグラフィックスデータの色域を表示性能に合った広色域に変換する。輝度マッピング部２１２ｄは、ダイナミックレンジ情報に基づいて、このグラフィックスデータに、ハイダイナミックレンジの表示性能に合うように、輝度マッピングをする。なお、色変換部２１１ｄ、輝度マッピング部２１２ｄの詳細については、上述の伝送ビデオデータに対応した色変換部２１１ａ、輝度マッピング部２１２ａと同様であるので、省略する。
【０１１６】
色域変換および輝度マッピングの処理が行われた伝送ビデオデータ、イメージデータ、字幕データおよびグラフィックデータは合成部２１３に供給される。合成部２１３は、詳細説明は省略するが、画面構成情報に基づいて、各データを合成する。この合成部２１３の出力データは、ＨＤＲ光電変換部２１４に供給される。このＨＤＲ光電変換部２１４は、合成部２１３の出力データにＨＤＲ電光変換特性による電光変換を施し、ＨＤＲかつ広色域の表示性能に対応した表示用画像データを得る。
【０１１７】
なお、上述ではモニタ２１０がＨＤＲかつ広色域の表示性能を有し、画面合成処理部２０９でＨＤＲかつ広色域の表示性能に対応した表示用画像データを得る例について説明した。モニタ２１０がＳＤＲかつｓＲＧＢ等の通常色域の表示性能を有する場合、画面合成処理部２０９は、ＳＤＲかつ通常色域の表示性能に対応した表示用画像データを得るように構成される。
【０１１８】
この場合、図１２に示す画面合成処理部２０９において、各色域変換部では、色域情報に基づいて、各データの色域を表示性能に合った通常色域に変換することが行われる。また、図１２に示す画面合成処理部２０９において、各輝度マッピング部では、ダイナミックレンジ情報に基づいて、各データに、通常ダイナミックレンジの表示性能に合うように、輝度マッピングが行われる。なお、図１２に示す画面合成処理部２０９において、ＨＤＲ電光変換部２１４は、ＳＤＲ電光変換部となる。
【０１１９】
ここで、入力伝送ビデオデータがＨＤＲ伝送ビデオデータである場合について説明する。この場合、輝度マッピング部では、輝度マッピング処理が施されることで、ＨＤＲ伝送ビデオデータからＳＤＲ伝送ビデオデータに変換される。この場合、輝度マッピング部は、図１６（ａ）に示すように、ＨＤＲ電光変換部２５１とＳＤＲ光電変換部２５２の直列回路で構成される。
【０１２０】
ＨＤＲ電光変換部２５１では、ＨＤＲ伝送ビデオデータに、図１６（ｂ）に矢印ａで示すＨＤＲ電光変換特性による電光変換が施される。この場合、入力されるＨＤＲ伝送ビデオデータの輝度レベル０〜Ｎ＊１００％は、リニアな光線空間で最大Ｎ＊１００nits（＝１００cd/m2）となる。
【０１２１】
そして、この場合、ＨＤＲ電光変換部２５１では、さらに、電光変換入力の信号に対して、１００％より低いＰ％の輝度レベルからＮ＊１００％の輝度レベルまでが、ニー(knee)カーブ（図１６（ｂ）に矢印ｂで示す）によって、ＳＤＲ  ＯＥＴＦの１００％の伝送範囲以下の輝度レベルとなるように輝度変換される。
【０１２２】
また、ＳＤＲ光電変換部２５２では、図１６（ｃ）に矢印ｃで示すＳＤＲ光電変換特性による光電変換が施される。この場合、ＨＤＲ電光変換部２５１の出力データが、０〜１００の伝送範囲の全体に再割り当てされる。
【０１２３】
図１０に示すサービス受信機２００の動作を簡単に説明する。受信部２０２では、サービス送信システム１００から放送波あるいはネットのパケットに載せて送られてくるトランスポートストリーム（ＭＰＥＧ−２  ＴＳあるいはＭＭＴのトランスポートストリーム）が受信される。このトランスポートストリームは、コンテナデコーダ２０３に供給される。コンテナデコーダ２０３では、トランスポートストリームから、ビデオストリームＶＳ、データサービスストリームＤＳおよびサブタイトルストリームＳＳが抽出される。
【０１２４】
また、コンテナデコーダ２０３では、コンテナとしてのトランスポートストリームに挿入されている種々の情報が抽出され、制御部２０１に送られる。この情報には、上述した、ＨＤＲ・ビデオ・デスクリプタ（図５参照）、ＨＤＲ・サブタイトル・デスクリプタ（図７参照）も含まれる。
【０１２５】
制御部２０１では、ＨＤＲ・ビデオ・デスクリプタの記述に基づいて、ビデオストリームＶｓに含まれる伝送ビデオデータがＳＤＲ伝送ビデオデータであるか、ＨＤＲ伝送ビデオデータであるかなどが認識される。また、制御部２０１では、ＨＤＲ・サブタイトル・デスクリプタの記述に基づいて、サブタイトルストリームＳＳが持つ字幕データの種類、つまりＳＤＲデータであるかＨＤＲデータであるかなどが認識される。
【０１２６】
コンテナデコーダ２０３で抽出されたビデオストリームＶＳは、ビデオデコーダ２０４に供給される。ビデオデコーダ２０４では、ビデオストリームＶＳに対してデコード処理が施され、伝送ビデオデータが得られると共に、この伝送ビデオデータのダイナミックレンジ情報および色域情報が得られる。
【０１２７】
また、コンテナデコーダ２０３で抽出されたデータサービスストリームＤＳは、データサービスデコーダ２０５に供給される。データサービスデコーダ２０５では、データサービスストリームＤＳに対してデコード処理が施され、グラフィックスデータ（ビットマップデータ）が得られると共に、このグラフィックスデータのダイナミックレンジ情報および色域情報が得られ、さらにイメージデータに係る符号化データが得られる。
【０１２８】
データサービスデコーダ２０５で得られたイメージデータに係る符号化データは、静止画デコーダ２０６に供給される。静止画デコーダ２０６では、符号化データに対してデコード処理が施され、イメージデータが得られると共に、このイメージデータのダイナミックレンジ情報および色域情報が得られる。
【０１２９】
また、コンテナデコーダ２０３で抽出されたサブタイトルストリームＳＳは、サブタイトルデコーダ２０７に供給される。サブタイトルデコーダ２０７では、サブタイトルストリームＳＳに対してデコード処理が施され、字幕データ（ビットマップデータ）が得られると共に、この字幕データのダイナミックレンジ情報および色域情報が得られる。
【０１３０】
ビデオデコーダ２０４で得られた伝送ビデオデータ、データサービスデコーダ２０５で得られたグラフィックスデータ、静止画デコーダ２０６で得られたイメージデータ、サブタイトルデコーダ２０７で得られた字幕データおよびＯＳＤ部２０８で得られたグラフィックスデータは、それぞれのダイナミックレンジ情報および色域情報と共に、画面合成処理部２０９に供給される。
【０１３１】
画面合成処理部２０９では、各データが合成されて、モニタ２１０の表示性能に対応した表示用画像データが生成される。この場合、各データは、それぞれのデータの色域情報に基づいて表示性能に合うように色域変換処理が施され、さらに、それぞれのデータのダイナミックレンジ情報に基づいて表示性能に合うように輝度マッピング処理が施された後に、合成される。画面合成処理部２０９で生成された表示用画像データはモニタ２１０に供給され、このモニタ２１０に表示用画像データによる画像が表示される。
【０１３２】
上述したように、図１に示す送受信システム１０において、サービス送信システム１００は、各コンポーネントストリーム（ビデオストリームＶＳ、データサービスストリームＤＳ、サブタイトルストリームＳＳ）に、それぞれのコンポーネントストリームが持つコンポーネントデータ（伝送ビデオデータ、イメージデータ、グラフィックスデータ、字幕データ）のダイナミックレンジ情報を挿入する。そのため、受信側において各コンポーネントデータをそれぞれのダイナミックレンジ情報に基づいて表示性能に合うように輝度マッピング処理を施した後に合成して出力データを得ることが可能となる。
【０１３３】
この場合、この出力データに施す電光変換の特性を固定できることから（図１２のＨＤＲ電光変換部２１４参照）、電光変換特性の切り替えに起因する画乱れの発生を防止することが可能となる。例えば、ビデオデータによる画像と共にグラフィックス表示がされるときに、ビデオデータによる画像がＳＤＲからＨＤＲあるいはＨＤＲからＳＤＲに切り換わったとしても、グラフィックス表示における色や明るさが変化することはなくなる。また、この場合、各コンポーネントデータに表示性能に合うように輝度マッピング処理が施されることから、各コンポーネントデータによる表示を常に適切な輝度状態で表示することが可能となる。
【０１３４】
例えば、図１７（ａ），（ｂ）は、放送サービスの一つとして存在する、いわゆる“ｄボタン”操作によるグラフィックス表示の例を示している。右上の小窓に伝送ビデオデータによる動画像が表示され、左下にイメージデータによる静止画像が表示されている。
【０１３５】
図１７（ａ）は、伝送ビデオデータがＳＤＲ伝送ビデオデータであるかＨＤＲ伝送ビデオデータであるかによって伝送ビデオデータに施す電光変換の特性を切り替える場合の例である。この場合には、ＳＤＲの画像表示時とＨＤＲの画像表示時の切替えの際にグラフィックス表示の色や輝度が影響される。
【０１３６】
図１７（ｂ）は、本技術のように、伝送ビデオデータがＳＤＲ伝送ビデオデータであるかＨＤＲ伝送ビデオデータであるかによらずに伝送ビデオデータに施す電光変換の特性を固定とする場合の例である。この場合には、ＳＤＲの画像表示時とＨＤＲの画像表示時の切替えの際にグラフィックス表示の色や輝度が影響されるということがなくなる。
【０１３７】
また、図１に示す送受信システム１０において、サービス送信システム１００は、各コンポーネントストリームに、それぞれのコンポーネントストリームが持つコンポーネントデータの色域情報を挿入する。そのため、受信側において各コンポーネントデータをそれぞれの色域情報に基づいて表示性能に合うように色域変換を施した後に合成して出力データを得ることが可能となり、各コンポーネントデータによる表示を常に適切な色状態で表示することが可能となる。
【０１３８】
＜２．変形例＞
なお、上述実施の形態においては、サービス送信システム１００およびサービス受信機２００により構成される送受信システム１０を示したが、本技術を適用し得る送受信システムの構成は、これに限定されるものではない。例えば、サービス受信機２００が、例えば、ＨＤＭＩ（High-Definition Multimedia Interface）などのデジタルインタフェースで接続されたセットトップボックス（ＳＴＢ）およびモニタからなる構成であってもよい。なお、「ＨＤＭＩ」は、登録商標である。
【０１３９】
また、上述実施の形態においては、コンテナがＭＰＥＧ−２  ＴＳ（MPEG-2 Transport Stream）あるいはＭＭＴ（MPEG Media Transport）のトランスポートストリームである例を示した。しかし、本技術を適用し得るコンテナは、これに限定されるものではなく、ＭＰ４などの他のフォーマットのコンテナであってもよい。
【０１４０】
また、本技術は、以下のような構成を取ることもできる。
（１）複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを送信する送信部と、
上記各コンポーネントストリームに、それぞれのコンポーネントストリームが持つコンポーネントデータのダイナミックレンジ情報を挿入する情報挿入部を備える
送信装置。
（２）上記情報挿入部は、
上記各コンポーネントストリームに、それぞれのコンポーネントストリームが持つコンポーネントデータの色域情報をさらに挿入する
前記（１）に記載の送信装置。
（３）上記コンテナのレイヤに、該コンテナに含まれる上記第１のコンポーネントストリームが持つ伝送ビデオデータの種類を示す識別情報を、切り替えタイミングより所定の時間量以上だけ前のタイミングから切り替え後の伝送ビデオデータの種類を示すように挿入する情報挿入部をさらに備える
前記（１）または（２）に記載の送信装置。
（４）上記所定数の第２のコンポーネントストリームには、データ放送ストリームおよび/またはサブタイトルストリームが含まれる
前記（１）から（３）のいずれかに記載の送信装置。
（５）送信部により、複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを送信する送信ステップと、
上記各コンポーネントストリームに、それぞれのコンポーネントストリームが持つコンポーネントデータのダイナミックレンジ情報を挿入する情報挿入ステップを有する
送信方法。
（６）複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを受信する受信部を備え、
上記各コンポーネントストリームに、それぞれのコンポーネントストリームが持つコンポーネントデータのダイナミックレンジ情報が挿入されており、
上記各コンポーネントストリームをデコードして複数のコンポーネントデータを得、該得られた複数のコンポーネントデータを合成して出力データを得る処理部をさらに備え、
上記処理部は、
上記各コンポーネントデータを、それぞれのダイナミックレンジ情報に基づいて表示性能に合うように輝度マッピング処理を施した後に合成して上記出力データを得る
受信装置。
（７）上記各コンポーネントストリームに、それぞれのコンポーネントストリームが持つコンポーネントデータの色域情報がさらに挿入されており、
上記処理部は、
上記各コンポーネントデータを、それぞれの色域情報に基づいて表示性能に合うように色域変換処理を施した後に合成して上記出力データを得る
前記（６）に記載の受信装置。
（８）受信部により、複数の種類の伝送ビデオデータを切り替えて得られた伝送ビデオデータをコンポーネントデータとして持つ第１のコンポーネントストリームと共に、他のコンポーネントデータを持つ所定数の第２のコンポーネントストリームを含む所定フォーマットのコンテナを受信する受信ステップを有し、
上記各コンポーネントストリームに、それぞれのコンポーネントストリームが持つコンポーネントデータのダイナミックレンジ情報が挿入されており、
上記各コンポーネントストリームをデコードして複数のコンポーネントデータを得、該得られた複数のコンポーネントデータを合成して出力データを得る処理ステップをさらに有し、
上記処理ステップでは、
上記各コンポーネントデータを、それぞれのダイナミックレンジ情報に基づいて表示性能に合うように輝度マッピング処理を施した後に合成して上記出力データを得る
受信方法。
【０１４１】
本技術の主な特徴は、各コンポーネントストリームにそれぞれのコンポーネントストリームが持つコンポーネントデータのダイナミックレンジ情報を挿入して送信することで、受信側における電光変換の特性の固定を可能とし、電光変換特性の切り替えに起因する画乱れの発生を防止可能としたことである（図２参照）。
【符号の説明】
【０１４２】
１０・・・送受信システム
１００・・・サービス送信システム
１０１・・・制御部
１０２・・・ビデオエンコーダ
１０３・・・データサービスエンコーダ
１０４・・・静止画エンコーダ
１０５・・・サブタイトルエンコーダ
１０６・・・コンテナエンコーダ
１０７・・・送信部
２００・・・サービス受信機
２０１・・・制御部
２０２・・・受信部
２０３・・・コンテナデコーダ
２０４・・・ビデオデコーダ
２０５・・・データサービスデコーダ
２０６・・・静止画デコーダ
２０７・・・サブタイトルデコーダ
２０８・・・ＯＳＤ部
２０９・・・画面合成処理部
２１０・・・モニタ
２１１ａ，２１１ｂ，２１１ｃ，２１１ｄ・・・色域変換部
２１２ａ，２１２ｂ，２１２ｃ，２１２ｄ・・・輝度マッピング部
２１３・・・合成部
２１４・・・ＨＤＲ電光変換部
２２１・・・電光変換部（ＥＯＴＦ部）
２２２・・・光電変換部（ＯＥＴＦ部）
２３１・・・ＳＤＲ電光変換部
２３２・・・ＨＤＲ光電変換部
２４１・・・ＨＤＲ１電光変換部
２４２・・・ＨＤＲ２光電変換部
２５１・・・ＨＤＲ電光変換部
２５２・・・ＳＤＲ光電変換部
【図１】
2020074572.tif 000003
【図２】
2020074572.tif 000004
【図３】
2020074572.tif 000005
【図４】
2020074572.tif 000006
【図５】
2020074572.tif 000007
【図６】
2020074572.tif 000008
【図７】
2020074572.tif 000009
【図８】
2020074572.tif 000010
【図９】
2020074572.tif 000011
【図１０】
2020074572.tif 000012
【図１１】
2020074572.tif 000013
【図１２】
2020074572.tif 000014
【図１３】
2020074572.tif 000015
【図１４】
2020074572.tif 000016
【図１５】
2020074572.tif 000017
【図１６】
2020074572.tif 000018
【図１７】
2020074572.tif 000019